(57)【要約】【課題】電動機に対して適切且つ容易に着脱することができる集塵フードを提供する。【解決手段】  本発明は、電動機１０６の内部に空気を吹き付けて除去した塵埃を空気と共に電動機１０６の排気口１１１から吸引するために電動機１０６に取り付けられる集塵フード５であって、排気口１１１に対応して配置される吸込口１４を有するフード本体１０と、フード本体１０に設けられ、電動機１０６に接続することでフード本体１０を電動機１０６に装着させ、電動機１０６から分離することでフード本体１０を電動機１０６から装着解除させる接続部２０と、フード本体１０に設けられ、一方向に回動することで電動機１０６の外面に接触し、他方向に回動することで電動機１０６の外面から離間する保持部３０と、を備えている。【選択図】図３
2019088133.tif 000002
【特許請求の範囲】
【請求項１】
電動機の内部に空気を吹き付けて除去した塵埃を空気と共に前記電動機の排気口から吸引するために前記電動機に取り付けられる集塵フードであって、
前記排気口に対応して配置される吸込口を有するフード本体と、
前記フード本体に設けられ、前記電動機に接続することで前記フード本体を前記電動機に装着させ、前記電動機から分離することで前記フード本体を前記電動機から装着解除させる接続部と、
前記フード本体に設けられ、一方向に回動することで前記電動機の外面に接触し、他方向に回動することで前記電動機の外面から離間する保持部と、を備えていることを特徴とする集塵フード。
【請求項２】
前記保持部は、前記フード本体の前記吸込口から外方に延びて前記電動機を挟んで対向する一対の保持アームを含んでいることを特徴とする請求項１に記載の集塵フード。
【請求項３】
前記電動機は、円筒状に形成され、
前記保持部は、前記フード本体の前記吸込口から外方に延びた状態に形成されている保持アームを含み、
前記保持アームは、前記電動機の外周面に沿って湾曲した形状を有していることを特徴とする請求項１に記載の集塵フード。
【請求項４】
前記保持アームには、前記排気口に対応した開口部が形成され、
前記保持アームには、前記開口部を覆うと共に前記フード本体の内部に連通した中空のカバーが固定され、
前記カバーの先端面には、外気を前記カバーの内部に取り入れるための外気導入口が開口していることを特徴とする請求項２または３に記載の集塵フード。
【請求項５】
前記フード本体は、
前記吸込口から取り込まれた塵埃を含む空気を排出する吐出口と、
前記フード本体の内部空間を、前記開口部および前記外気導入口から導入された空気が流通する第１流路と、前記開口部および前記外気導入口を除く前記吸込口から導入された空気が流通する第２流路と、に区画する仕切板と、を含み、
前記仕切板は、前記第２流路よりも前記第１流路の流量を多くするように前記吐出口の中心からずれた位置に設けられていることを特徴とする請求項４に記載の集塵フード。
【請求項６】
前記電動機は、円筒状に形成され、
前記排気口は、前記電動機の外周面に形成され、
前記フード本体の前記吸込口を形成する縁部は、前記電動機の外周面に沿って湾曲した形状を有していることを特徴とする請求項１ないし５のいずれかに記載の集塵フード。
【請求項７】
前記接続部は、前記電動機の中心よりも一方に接続され、
前記保持部は、前記電動機の中心よりも他方に接触することを特徴とする請求項１ないし６のいずれかに記載の集塵フード。
【請求項８】
電動機の内部に空気を吹き付けて除去した塵埃を空気と共に前記電動機の排気口から吸引するために前記電動機に取り付けられる集塵フードであって、
前記排気口に対応して配置される吸込口を有するフード本体と、
前記フード本体に設けられ、前記電動機に接続することで前記フード本体を前記電動機に装着させ、前記電動機から分離することで前記フード本体を前記電動機から装着解除させる接続部と、
前記電動機によって回転される車輪が転動する２本のレールの間に架設され、且つ前記レールに沿って移動する第１ベースと、
前記第１ベースに設けられ、前記第１ベースの架設方向に移動する第２ベースと、
前記第２ベースと前記フード本体とに接続され、一方向に回動することで前記フード本体を前記電動機の外面に接触させ、他方向に回動することで前記フード本体を前記電動機の外面から離間させる接続回動部と、を備えていることを特徴とする集塵フード。
【請求項９】
前記第２ベースには、その移動を規制して前記第１ベースに対しての位置を固定する位置固定機構が設けられていることを特徴とする請求項８に記載の集塵フード。
【発明の詳細な説明】
【技術分野】
【０００１】
本発明は、電動機の内部に空気を吹き付けて除去した塵埃を空気と共に電動機の排気口から吸引するために電動機に取り付けられる集塵フードに関する。
【背景技術】
【０００２】
従来から、電動機の内部に付着した塵埃を気吹き除去し、除去された塵埃を含む空気を吸引回収する気吹き集塵装置が知られている。
【０００３】
例えば、特許文献１に記載の車両用主電動機の回転子風穴清掃機構は、気吹き清掃時にエアーホースを接続する側に、軸受箱取付け用ボルトと同一サイズのネジを設けた気吹きノズルを、軸受箱取付けボルトの内の１個と交換して設けている。これにより、エアーホースを取り付けて圧縮空気を送ることが可能となり、回転子風穴の清掃が可能になる。
【先行技術文献】
【特許文献】
【０００４】
【特許文献１】特開２００７−２０２５８号公報
【発明の概要】
【発明が解決しようとする課題】
【０００５】
気吹き清掃によって除去された塵埃は圧縮空気と共に主電動機から排気されるが、上記した回転子風穴清掃機構では、空気に含まれた塵埃を回収することについて十分に考慮されていなかった。また、塵埃を回収するために主電動機の排気口に吸引用ホース等を取り付けることがあるが、台車に搭載された主電動機の周りのスペースは狭いため、主電動機に対して吸引用ホース等を適切に取り付けることが容易ではなかった。
【０００６】
本発明は、上記した課題を解決するため、電動機に対して適切且つ容易に着脱することができる集塵フードを提供する。
【課題を解決するための手段】
【０００７】
上記した目的を達成するため、本発明の第１の集塵フードは、電動機の内部に空気を吹き付けて除去した塵埃を空気と共に前記電動機の排気口から吸引するために前記電動機に取り付けられる集塵フードであって、前記排気口に対応して配置される吸込口を有するフード本体と、前記フード本体に設けられ、前記電動機に接続することで前記フード本体を前記電動機に装着させ、前記電動機から分離することで前記フード本体を前記電動機から装着解除させる接続部と、前記フード本体に設けられ、一方向に回動することで前記電動機の外面に接触し、他方向に回動することで前記電動機の外面から離間する保持部と、を備えている。
【０００８】
本発明の第１の集塵フードによれば、接続部を電動機に接続させ、且つ保持部を電動機の外面に接触させることによって、電動機に対してフード本体を適切に取り付けることができる。接続部を電動機から分離させ、且つ保持部を電動機の外面から離間させることによって、電動機に対してフード本体を取り外すことができる。これにより、電動機に対して集塵フードを適切且つ容易に着脱することができる。
【０００９】
本発明の第２の集塵フードは、上記した本発明の第１の集塵フードにおいて、前記保持部は、前記フード本体の前記吸込口から外方に延びて前記電動機を挟んで対向する一対の保持アームを含んでいることが好ましい。
【００１０】
本発明の第２の集塵フードによれば、一対の保持アームが電動機を抱えるように挟み込むため、集塵フードを電動機に装着した状態を維持することができる。また、一対の保持アームは、フード本体の外方に延びているため、電動機の周りの狭いスペースに進入することができ、電動機を挟み込むことができる。
【００１１】
本発明の第３の集塵フードは、上記した本発明の第１の集塵フードにおいて、前記電動機は、円筒状に形成され、前記保持部は、前記フード本体の前記吸込口から外方に延びた状態に形成されている保持アームを含み、前記保持アームは、前記電動機の外周面に沿って湾曲した形状を有していることが好ましい。
【００１２】
本発明の第３の集塵フードによれば、保持アームが湾曲しているため、円筒状の電動機を確りと保持することができる。また、保持アームは、フード本体の外方に延びているため、電動機の周りの狭いスペースに進入することができる。
【００１３】
本発明の第４の集塵フードは、上記した本発明の第２または第３の集塵フードにおいて、前記保持アームには、前記排気口に対応した開口部が形成され、前記保持アームには、前記開口部を覆うと共に前記フード本体の内部に連通した中空のカバーが固定され、前記カバーの先端面には、外気を前記カバーの内部に取り入れるための外気導入口が開口していることが好ましい。
【００１４】
本発明の第４の集塵フードによれば、保持アームの開口部を通過してカバーの内部に流入した含塵空気を、外気導入口からカバーの内部に導入された外気と合流させて下流側に押し流すことができる。これにより、含塵空気の吸引力が向上するため、含塵空気を効率良く吸引することができる。
【００１５】
本発明の第５の集塵フードは、上記した本発明の第４の集塵フードにおいて、前記フード本体は、前記吸込口から取り込まれた塵埃を含む空気を排出する吐出口と、前記フード本体の内部空間を、前記開口部および前記外気導入口から導入された空気が流通する第１流路と、前記開口部および前記外気導入口を除く前記吸込口から導入された空気が流通する第２流路と、に区画する仕切板と、を含み、前記仕切板は、前記第２流路よりも前記第１流路の流量を多くするように前記吐出口の中心からずれた位置に設けられていることが好ましい。
【００１６】
本発明の第５の集塵フードによれば、第１流路は第２流路よりも多くの含塵空気を流すことができるため、開口部および外気導入口から導入された空気を効率良く流すことができる。
【００１７】
本発明の第６の集塵フードは、上記した本発明の第１ないし第５の何れかの集塵フードにおいて、前記電動機は、円筒状に形成され、前記排気口は、前記電動機の外周面に形成され、前記フード本体の前記吸込口を形成する縁部は、前記電動機の外周面に沿って湾曲した形状を有していることが好ましい。
【００１８】
本発明の第６の集塵フードによれば、吸込口の縁部が電動機の外周面に沿って湾曲しているため、吸込口の縁部を電動機の外周面に密着させることができる。これにより、フード本体の吸込口が電動機の排気口に対向配置されるため、排気口から流出する含塵空気をフード本体の内部に適切に導くことができ、含塵空気の漏出を抑制することができる。
【００１９】
本発明の第７の集塵フードは、上記した本発明の第１ないし第６の何れかの集塵フードにおいて、前記接続部は、前記電動機の中心よりも一方に接続され、前記保持部は、前記電動機の中心よりも他方に接触することが好ましい。
【００２０】
本発明の第７の集塵フードによれば、接続部と保持部とによって電動機の中心を挟んで両側から電動機を挟み込むことができる。これにより、電動機に対して集塵フードを確りと取り付けることができる。
【００２１】
また、上記した目的を達成するため、本発明の第８の集塵フードは、電動機の内部に空気を吹き付けて除去した塵埃を空気と共に前記電動機の排気口から吸引するために前記電動機に取り付けられる集塵フードであって、前記排気口に対応して配置される吸込口を有するフード本体と、前記フード本体に設けられ、前記電動機に接続することで前記フード本体を前記電動機に装着させ、前記電動機から分離することで前記フード本体を前記電動機から装着解除させる接続部と、前記電動機によって回転される車輪が転動する２本のレールの間に架設され、且つ前記レールに沿って移動する第１ベースと、前記第１ベースに設けられ、前記第１ベースの架設方向に移動する第２ベースと、前記第２ベースと前記フード本体とに接続され、一方向に回動することで前記フード本体を前記電動機の外面に接触させ、他方向に回動することで前記フード本体を前記電動機の外面から離間させる接続回動部と、を備えている。
【００２２】
本発明の第８の集塵フードによれば、第１ベースと第２ベースとによってフード本体を平面上で移動させることができる。また、接続回動部によってフード本体を回動させることで、フード本体を電動機の外面に対して接触または離間させることができる。これにより、電動機の排気口に対するフード本体（吸込口）の位置合わせを容易に行うことができる。
【００２３】
本発明の第９の集塵フードは、上記した本発明の第８の集塵フードにおいて、前記第２ベースには、その移動を規制して前記第１ベースに対しての位置を固定する位置固定機構が設けられていることが好ましい。
【００２４】
本発明の第９の集塵フードによれば、位置固定機構によってフード本体の架設方向の移動を規制することができる。これにより、フード本体を架設方向の任意の位置に固定した状態で、フード本体の回動動作を安定して行うことができる。
【発明の効果】
【００２５】
本発明によれば、電動機に対して集塵フードを適切且つ容易に着脱することができる。
【図面の簡単な説明】
【００２６】
【図１】本発明の第１実施形態に係る気吹き集塵装置および鉄道車両等を示す斜視図である。
【図２】本発明の第１実施形態に係る電動機の一部を示す正面図である。
【図３】本発明の第１実施形態に係る集塵フードおよび電動機等を示す側面図である。
【図４】本発明の第１実施形態に係る集塵フードおよび電動機等の一部を示す正面図である。
【図５】本発明の第１実施形態に係る集塵フードおよび電動機等の一部を示す側面図である。
【図６】本発明の第１実施形態に係る集塵フードの保持部等の一部を示す側面図である。
【図７】本発明の第２実施形態に係る集塵フードおよび電動機等を示す側面図である。
【図８】本発明の第２実施形態に係る集塵フードおよび電動機等の一部を示す側面図である。
【図９Ａ】本発明の第２実施形態に係る集塵フードのカバー付き保持アームを示す側面図である。
【図９Ｂ】本発明の第２実施形態に係る集塵フードのカバー付き保持アームを示す正面図である。
【図１０Ａ】本発明の第３実施形態に係る集塵フードおよび鉄道車両等を示す斜視図である。
【図１０Ｂ】本発明の第３実施形態に係る集塵フードおよび電動機等を示す斜視図である。
【発明を実施するための形態】
【００２７】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。このように、本明細書では、説明の便宜のために方向や位置を示す用語を用いるが、それらの用語は本発明の技術的範囲を限定するものではない。
【００２８】
[第１実施形態]
図１ないし図６を参照して、第１実施形態に係る集塵フード５を含む気吹き集塵装置１について説明する。図１は気吹き集塵装置１および鉄道車両１００等を示す斜視図である。図２は電動機１０６の一部を示す正面図である。図３は集塵フード５および電動機１０６等を示す側面図である。図４は集塵フード５および電動機１０６等の一部を示す正面図である。図５は集塵フード５および電動機１０６等の一部を示す側面図である。図６は集塵フード５の保持部３０等の一部を示す側面図である。
【００２９】
気吹き集塵装置１は、鉄道車両１００の台車１０２に搭載された電動機１０６の内部を気吹き清掃する装置である。具体的には、気吹き集塵装置１は、電動機１０６の内部に送り込んだ圧縮空気によって電動機１０６の内壁面等に付着した塵埃を吹き飛ばし、電動機１０６の内部から外部に排気された塵埃を含む空気（以下、「含塵空気」ともいう。）を吸引しながら回収する。なお、本明細書では、「気吹き」およびこれに類する用語は、圧縮空気を吹き付けて電動機１０６内の塵埃を吹き飛ばすことおよびこれに類する概念を指す。
【００３０】
［鉄道車両］
まず、気吹き作業の対象となる鉄道車両１００について説明する。図１に示すように、鉄道車両１００は、車両本体１０１と、その床下部分に固定された台車１０２と、を備えている。台車１０２は、台枠１０３と、２本の車軸１０４と、４つの車輪１０５と、２つの電動機１０６と、を含んでいる。車両本体１０１は、台枠１０３上に支持されている。
【００３１】
台枠１０３は、左右一対の支持フレーム１０３Ａの間に架け渡された架設フレーム１０３Ｂを有し、平面から見て略Ｈ字状に形成されている。２本の車軸１０４は、架設フレーム１０３Ｂを挟んで台枠１０３の前後両側に配置されている。２本の車軸１０４は、それぞれ、一対の支持フレーム１０３Ａの間に架設され、一対の支持フレーム１０３Ａに軸周りに回転可能に支持されている。車輪１０５は、車軸１０４の左右両端部に固定されている。車軸１０４に固定された２つの車輪１０５は、２本のレール２００上に載っており、２本のレール２００上を転動する。
【００３２】
２つの電動機１０６は、架設フレーム１０３Ｂと２本の車軸１０４との間に配置されている。２つの電動機１０６は、それぞれ、左右方向に延びた略円筒状に形成されている。各電動機１０６は、電力を回転力に変換する原動機であって、ハウジング１１０の内部に固定子および回転子（図示せず）を備えている。各ハウジング１１０は、例えば鉄製で、左右方向に延びた略円筒状に形成されている。なお、第１実施形態では、一例として、電動機１０６と架設フレーム１０３Ｂとの隙間Ｘ１は約１３ｍｍに設定され、電動機１０６と車軸１０４との隙間Ｘ２は約１６ｍｍに設定されている（図３参照）。
【００３３】
前方の電動機１０６の右側および後方の電動機１０６の左側には、継手（図示せず）を収容したジョイントボックス１２０が固定されている。つまり、後方の電動機１０６は前方の電動機１０６を左右方向に反転させた姿勢で設けられている。各電動機１０６の回転子から延びた出力軸（図示せず）は継手に接続され、継手はギアボックス１３０に収容されたギア列（図示せず）に接続されている。各ギア列は、車軸１０４に接続されている。
【００３４】
一対の電動機１０６の出力（回転力）は、それぞれ、継手やギア列を介して一対の車軸１０４に伝達される。前方の電動機１０６は前方の車輪１０５を軸周りに回転させ、後方の電動機１０６は後方の車輪１０５を軸周りに回転させる。これにより、台車１０２（鉄道車両１００）を一対のレール２００に沿って走行させることができる。なお、２つの電動機１０６は略同一構造であるため、以下、前方の電動機１０６について説明する。
【００３５】
この電動機１０６は、外気をハウジング１１０の内部に取り入れることで回転子等を冷却する自己通風冷却式を採用している。ハウジング１１０の上側には、外気を取り入れるための吸気口を備えた吸気ダクト（図示せず）が取り付けられている。図２および図３に示すように、ハウジング１１０の下側外周面には、吸気口から流入して回転子等を冷却した空気を排出するための複数の排気口１１１が形成されている。
【００３６】
詳細には、複数の排気口１１１は、ハウジング１１０の外周面に沿って略円環状に形成された帯状板１１２に開口している。複数の排気口１１１は、帯状板１１２に下側で周方向に所定間隔で並べられている。各排気口１１１は、帯状板１１２の幅方向に対して斜めに延びた長穴である（図２参照）。図示は省略するが、ハウジング１１０の中心を通る水平線よりも下側には周方向に延びた開口が形成されており、帯状板１１２は、その開口を覆うように配置され、複数のボルトＢ１によってハウジング１１０に固定されている。
【００３７】
また、図１および図３に示すように、ハウジング１１０の左端面（出力軸（負荷側）の反対側）には、気吹き作業を行う場合に圧縮空気を導入するための導入用ノズル１１３が設けられている。導入用ノズル１１３は、側面から見てハウジング１１０の略円形状の端面の上部に配置され、左方向に突出している。
【００３８】
［気吹き集塵装置］
次に、気吹き集塵装置１について説明する。図１に示すように、気吹き集塵装置１は、集塵フード５と、集塵機９と、を含んでいる。集塵フード５は、電動機１０６の内部に空気を吹き付けて除去した塵埃を空気と共に電動機１０６の排気口１１１から吸引するために電動機１０６に取り付けられる。集塵機９は、集塵フード５を介して電動機１０６の内部に負圧を作用させるための吸引源である。
【００３９】
＜集塵フード＞
図３および図４に示すように、集塵フード５は、フード本体１０と、接続部２０と、保持部３０と、を備えている。フード本体１０は、電動機１０６の排気口１１１に対応して配置された状態で用いられる。接続部２０および保持部３０は、フード本体１０に設けられている。
【００４０】
（フード本体）
フード本体１０は、例えば、板金で中空の箱状に形成されている。フード本体１０の上部には、側面から見て略半円形状の凹部１１が凹んだ状態に形成されている。凹部１１は、電動機１０６（ハウジング１１０）の外径と略同一径となるように湾曲している。また、フード本体１０の下部には、側面から見て前後両側から中央に向かって下方に延びた略台形状（漏斗状）の凸部１２が形成されている。なお、図３に示すように、フード本体１０の左側面には、その外形よりも小さな本体開口１０Ａが形成されており、その本体開口１０Ａは蓋体１３によって塞がれている。蓋体１３は、複数の取付ネジＢ２によってフード本体１０に着脱可能に固定されている。
【００４１】
フード本体１０は、含塵空気を内部に取り入れるための吸込口１４と、吸込口１４から取り込まれた含塵空気を排出するための吐出口１５と、を有している。吸込口１４は、凹部１１の上端面に形成された前後方向に長い略矩形状の開口である。吸込口１４は、凹部１１の湾曲に沿って形成されている（図１参照）。すなわち、フード本体１０の吸込口１４を形成する縁部は、電動機１０６の外周面に沿って湾曲した形状を有している。吐出口１５は、凸部１２の下端面に形成された略円形状の開口である。吐出口１５には、ダクトホース９Ａの上流端部が接続されている（図３参照）。
【００４２】
（接続部）
図３ないし図５に示すように、接続部２０は、一対の着脱用ハンドル２１と、一対の支持筒部２２と、一対の吸着部２３と、を含んでいる。一対の着脱用ハンドル２１、一対の支持筒部２２および一対の吸着部２３は、それぞれ、吐出口１５を挟んでフード本体１０の前後両側に設けられている（図３参照）。なお、一対の着脱用ハンドル２１等は、前後対称となる構造であるため、以下、１つ（主に後方）の着脱用ハンドル２１等について説明する。
【００４３】
着脱用ハンドル２１は、ハンドル軸２１Ａと、ハンドルグリップ２１Ｂと、を含んでいる。ハンドル軸２１Ａは、円形断面を有する棒状に形成されている。ハンドル軸２１Ａは、凹部１１上の接点を通る接線に直交する法線に沿って延びた姿勢でフード本体１０に支持されている。ハンドル軸２１Ａの上部および中間部はフード本体１０の内部に配置され、ハンドル軸２１Ａの下部はフード本体１０から露出している（図５参照）。ハンドル軸２１Ａの外周面には、フード本体１０から露出した部分を除いて雄ネジが形成されている。ハンドルグリップ２１Ｂは、ハンドル軸２１Ａの下端部に固定されている。ハンドルグリップ２１Ｂは、ハンドル軸２１Ａから径方向両側に延びている。
【００４４】
図５に示すように、支持筒部２２は略円筒状に形成され、支持筒部２２の内周面には雌ネジが形成されている。支持筒部２２は、ハンドル軸２１Ａと同じ角度で傾斜した姿勢でフード本体１０の内部に配置されている。支持筒部２２の上端部は、取付板２４を介してフード本体１０の内部に固定されている。上記したハンドル軸２１Ａは支持筒部２２および取付板２４を貫通した状態に設けられ、ハンドル軸２１Ａの雄ネジは支持筒部２２の雌ネジに噛み合っている。つまり、支持筒部２２は、ネジ作用によってハンドル軸２１Ａを軸周りに回転可能に支持している。着脱用ハンドル２１は、軸周りに正逆回転されることで法線方向（上下方向）に進退するようになっている。
【００４５】
取付板２４を貫通したハンドル軸２１Ａの上部には、ワッシャーＷを挟んでダブルナット２５が締め付けられている。また、ダブルナット２５を貫通したハンドル軸２１Ａの上端部には、ブラケット２６が固定されている。
【００４６】
吸着部２３は、マグネットホルダー２７と、それに収容されたマグネット２８と、を含んでいる。マグネットホルダー２７は、ブラケット２６の上面に配置され、下方から捩じ込まれたノブボルトＢ３によって取り付けられている。マグネットホルダー２７は、若干の遊び（がたつき）を有した状態でブラケット２６に取り付けられている。マグネットホルダー２７は、吸込口１４からフード本体１０の外部に露出している。マグネット２８は、例えば、ネオジム磁石等の強力な磁力を持つ永久磁石であり、マグネットホルダー２７の内部に固定されている。マグネット２８の上端面は、マグネットホルダー２７の上端面と略同一平面上に配置されている。
【００４７】
（保持部）
図３ないし図５に示すように、保持部３０は、一対の保持アーム３１と、一対の取付ボックス３２と、一対のコイルスプリング３３と、一対の操作レバー３４と、を含んでいる。一対の保持アーム３１、一対の取付ボックス３２、一対のコイルスプリング３３および一対の操作レバー３４は、それぞれ、フード本体１０の前後両側面に設けられている。なお、一対の保持アーム３１等は、前後対称となる構造であるため、以下、１つ（後方）の保持アーム３１等について説明する。
【００４８】
図４および図５に示すように、保持アーム３１は、例えば、金属製で上下方向に延びた板状の部材である。保持アーム３１は、湾曲板３１Ａと、支持板３１Ｂと、を含んでいる。湾曲板３１Ａと支持板３１Ｂとは、左右方向に延びた回転軸３１Ｃに接続されている。回転軸３１Ｃの左右両端部は、フード本体１０の軸受穴（図示せず）に回転可能に支持されている。つまり、保持アーム３１は、回転軸３１Ｃを中心に回動可能に設けられている。
【００４９】
湾曲板３１Ａ（保持アーム３１）は、フード本体１０の吸込口１４の上端部（回転軸３１Ｃ）から上方（外方）に延びた状態に形成され、フード本体１０の上方に露出している。湾曲板３１Ａは、フード本体１０の凹部１１の曲率中心側（内側）に弓状に曲がっている。つまり、湾曲板３１Ａは、電動機１０６の外周面に沿って湾曲した形状を有している。湾曲板３１Ａの先端内側（上部内面）には、ゴム板３１Ｄが固定されている（図５参照）。
【００５０】
図５および図６に示すように、支持板３１Ｂは、回転軸３１Ｃからフード本体１０の内部に向かって直線状に延びた状態に形成されている。支持板３１Ｂは、二枚重ねにした金属製の板材ＰＬを溶接することで形成されている。
【００５１】
図６に示すように、支持板３１Ｂの下部には、バネ受け部３５と、外側連結穴３６Ａと、内側連結穴３６Ｂと、が形成されている。バネ受け部３５は、支持板３１Ｂの外側から内側に向かって凹むように形成されている。外側連結穴３６Ａは外側の板材ＰＬに開口し、内側連結穴３６Ｂは内側の板材ＰＬに開口している。内側連結穴３６Ｂは、外側連結穴３６Ａよりも大きく形成されている。外側連結穴３６Ａと内側連結穴３６Ｂとは、バネ受け部３５よりも下方において互いに重なる位置に形成されている。内側連結穴３６Ｂの中心は、外側連結穴３６Ａの中心から僅かに上方にずれている。なお、支持板３１Ｂには、電動機１０６の帯状板１１２を固定するボルトＢ１との干渉を防止するための長方形状の逃し穴３７が開口している（図４も参照）。逃し穴３７は、バネ受け部３５よりも上方に形成されている。また、フード本体１０の前後両端面には、バネ受け部３５および外側連結穴３６Ａ等に対応する位置に端面開口部１６が形成されている。
【００５２】
取付ボックス３２は、端面開口部１６を覆うようにフード本体１０の側面に固定されている。取付ボックス３２は、第１ボックス４０と、第２ボックス４１と、取付蓋４２と、を含んでいる。
【００５３】
第１ボックス４０はフード本体１０の側面に固定され、第２ボックス４１は第１ボックス４０に固定されている。第１ボックス４０の上部にはバネ受け部３５に対応する第１バネ収納部４０Ａが開口し、第２ボックス４１の上部には第１バネ収納部４０Ａに対応する第２バネ収納部４１Ａが開口している。第１および第２バネ収納部４０Ａ，４１Ａは、バネ受け部３５と略同じ開口面積を有しいている。第１ボックス４０の下部には外側連結穴３６Ａに対応する突起通過穴４０Ｂが開口し、第２ボックス４１の下部には突起通過穴４０Ｂに対応する突起収納部４１Ｂが開口している。突起通過穴４０Ｂは左右方向に長い長方形状に形成されている（図４も参照）。突起収納部４１Ｂは、突起通過穴４０Ｂよりも十分に広い開口面積を有している。取付蓋４２は、第２ボックス４１の外端面に固定され、第２バネ収納部４１Ａおよび突起収納部４１Ｂを閉塞している。取付蓋４２の下部には、突起通過穴４０Ｂと同一軸心上に略円形状の摺動穴４２Ａが開口している。
【００５４】
コイルスプリング３３は、いわゆる圧縮バネである。コイルスプリング３３の外端部は取付ボックス３２の第１および第２バネ収納部４０Ａ，４１Ａに収納され、コイルスプリング３３の外端面は取付ボックス３２の取付蓋４２の内面に当接している。コイルスプリング３３の内端部は保持アーム３１のバネ受け部３５に収納され、コイルスプリング３３の内端面はバネ受け部３５の内面に当接している。つまり、コイルスプリング３３は、取付ボックス３２と保持アーム３１との間に架設されている。また、コイルスプリング３３は、取付ボックス３２の取付蓋４２を台座として保持アーム３１を内側に向かって付勢している。
【００５５】
図４ないし図６に示すように、操作レバー３４は、レバー軸３４Ａと、レバーグリップ３４Ｂと、を含んでいる。
【００５６】
レバー軸３４Ａは、円形断面を有する棒状に形成されている。レバー軸３４Ａは、摺動穴４２Ａ、突起収納部４１Ｂ、突起通過穴４０Ｂ、端面開口部１６、外側連結穴３６Ａおよび内側連結穴３６Ｂに差し込まれ、前後方向に略水平に延びた姿勢で取付ボックス３２等に支持されている（図６参照）。つまり、レバー軸３４Ａは、取付ボックス３２、フード本体１０および保持アーム３１（支持板３１Ｂ）を貫通している。レバー軸３４Ａの外端部（後部）は、取付ボックス３２から露出している。
【００５７】
図４および図６に示すように、レバー軸３４Ａには、一対の突起部３４Ｃが互いに離れるように径方向外側に向かって延びている。一対の突起部３４Ｃは、取付ボックス３２の内部に配置されている。突起収納部４１Ｂは、一対の突起部３４Ｃの軸周りの回転を許容する大きさに形成されている。また、突起通過穴４０Ｂは、略水平姿勢となった一対の突起部３４Ｃの通過を許容し、それ以外の姿勢となった一対の突起部３４Ｃの通過を規制する形状・大きさに形成されている。また、摺動穴４２Ａは、レバー軸３４Ａのスライドを許容するが、一対の突起部３４Ｃの通過を規制する形状・大きさに形成されている。
【００５８】
図６に示すように、レバー軸３４Ａの先端部（前端部）は、保持アーム３１（支持板３１Ｂ）を貫通している。レバー軸３４Ａの先端部には、略円環状の皿部材４３が嵌め込まれている。皿部材４３は、支持板３１Ｂの外側連結穴３６Ａを通過可能、且つ内側連結穴３６Ｂを通過不能となる大きさに形成されている。皿部材４３は、外側連結穴３６Ａの内側に配置され、レバー軸３４Ａの前端面に固定されたナットＮにボルトＢ４を捩じ込むことでレバー軸３４Ａに取り付けられている。
【００５９】
図５に示すように、レバーグリップ３４Ｂは、取付ボックス３２から露出したレバー軸３４Ａの外端部（後端部）に固定されている。レバーグリップ３４Ｂは、レバー軸３４Ａから径方向両側に延びている。
【００６０】
＜集塵機＞
次に、集塵機９について簡単に説明する。図１に示すように、集塵機９は、集塵フード５と可撓性（弾力変形可能）を有するダクトホース９Ａで接続されている。集塵機９は、吸引力を発生させるファンと、含塵空気から塵埃を除去するフィルターと、除去した塵埃を回収するためのダストボックスと、を備えている（いずれも図示せず）。また、集塵機９はインバーター（図示せず）を備えており、これを調整操作することによってファンによる吸引力を変更することができる。
【００６１】
［気吹き作業］
次に、気吹き作業について説明する。
【００６２】
図５および図６に一点鎖線で示すように、気吹き作業を開始する前の初期状態では、保持アーム３１の支持板３１Ｂは、コイルスプリング３３によってフード本体１０の内部に押し込まれている。このため、保持アーム３１の湾曲板３１Ａは、回転軸３１Ｃから外側に向かって斜め上方に延びた姿勢になっている。つまり、一対の保持アーム３１は、フード本体１０から上方に向かって拡開した「退避位置Ｐ１」に回動している（図５の一点鎖線参照）。初期状態において、操作レバー３４の一対の突起部３４Ｃは、取付ボックス３２の突起通過穴４０Ｂを貫通してフード本体１０の内部に進入している（図６の一点鎖線参照）。また、初期状態において、ダブルナット２５はワッシャーＷを介して取付板２４に突き当たって、着脱用ハンドル２１は捩じ戻す方向に回転することができない状態になっている。
【００６３】
次に、気吹き作業の手順の一例について説明する。まず、作業者は、集塵フード５を、電動機１０６の排気口１１１の下側に配置する。作業者は、電動機１０６に向かって集塵フード５を持ち上げ、フード本体１０の凹部１１を電動機１０６のハウジング１１０の外周面に密着させる（図３および図４参照）。フード本体１０は、電動機１０６の排気口１１１（帯状板１１２）を覆った状態で、２つのマグネット２８の磁気的吸引力によってハウジング１１０に仮固定される。フード本体１０の吸込口１４は、排気口１１１に対応して配置された状態になる。なお、この状態では、マグネット２８は、ハウジング１１０の外周面から僅かに離れている（約１ｍｍの隙間）。また、マグネット２８（吸着部２３）は、電動機１０６の帯状板１１２を固定するボルトＢ１を避けた位置に設けられている。
【００６４】
続いて、作業者は、ハンドルグリップ２１Ｂを把持してハンドル軸２１Ａを捩じ込む方向に回転させる。着脱用ハンドル２１が上方に移動すると、マグネットホルダー２７内のマグネット２８がハウジング１１０（帯状板１１２）に接触した状態で磁気的に吸着する（図５参照）。この状態で、フード本体１０が帯状板１１２（排気口１１１）を覆うように電動機１０６に装着され、フード本体１０に開口した吸込口１４の縁部が電動機１０６の外周面に密着している（図３参照）。なお、マグネット２８は、ボルトＢ１を避けた位置で帯状板１１２に吸着するように配置されている。
【００６５】
次に、図５および図６に示すように、作業者は、レバーグリップ３４Ｂを把持してレバー軸３４Ａを、コイルスプリング３３の付勢力に抗してフード本体１０の外側に引っ張る。すると、保持アーム３１の支持板３１Ｂはコイルスプリング３３を圧縮しながら回転軸３１Ｃを中心に外側に回動し、保持アーム３１の湾曲板３１Ａは回転軸３１Ｃを中心に内側に回動する。一対の保持アーム３１は、ゴム板３１Ｄをハウジング１１０に外周面に密着させ、電動機１０６を抱え込んだ「保持位置Ｐ２」に回動した状態になる（図５の実線参照）。つまり、一対の保持アーム３１は、電動機１０６を挟んで対向することになる。
【００６６】
また、図６に示すように、操作レバー３４が引っ張られて、保持アーム３１が退避位置Ｐ１から保持位置Ｐ２に回動する過程で、レバー軸３４Ａおよび皿部材４３は、内側連結穴３６Ｂの内側で下方から上方に相対的に移動する。なお、内側連結穴３６Ｂは外側連結穴３６Ａよりも大きく形成されているため、レバー軸３４Ａおよび皿部材４３は各連結穴３６Ａ，３６Ｂでこじられることなく円滑に移動することができる。さらに、図６に実線で示すように、レバー軸３４Ａの一対の突起部３４Ｃは、端面開口部１６や突起通過穴４０Ｂを通過して突起収納部４１Ｂに配置される。作業者は、操作レバー３４を引っ張りながら軸周りに回転させて一対の突起部３４Ｃを傾斜姿勢または略垂直姿勢にする。ここで、作業者がレバーグリップ３４Ｂから手を離すと、保持アーム３１はコイルスプリング３３に付勢されて初期状態（退避位置Ｐ１）に戻ろうとする。ところが、一対の突起部３４Ｃは突起通過穴４０Ｂの縁部に干渉するため、保持アーム３１はコイルスプリング３３の付勢力に抗して保持位置Ｐ２に固定される。
【００６７】
以上によって、接続部２０は、電動機１０６の中心よりも下方（一方）に接続され、保持部３０は、電動機１０６の中心よりも上方（他方）に接触する（図５参照）。これにより、集塵フード５を電動機１０６に確りと取り付けることができる。
【００６８】
次に、作業者は、電動機１０６の導入用ノズル１１３に圧縮空気の供給源（エアーコンプレッサー等）から延びたホース（図示せず）を接続する。また、作業者は、導入用ノズル１１３から供給する圧縮空気が漏れ出さないように、電動機１０６の吸気口（吸気ダクト）を板等によって閉塞する。なお、導入用ノズル１１３に対するホースの接続作業や吸気口の閉塞作業は、集塵フード５を電動機１０６に取り付ける前に行ってもよい。
【００６９】
続いて、作業者は、油圧ジャッキ等を用いて台車１０２を持ち上げて車輪１０５を浮かせた後、電動機１０６をゆっくりと回転させる（約１〜２ｒｐｍ）。次に、作業者は、集塵機９を稼動させ、ダクトホース９Ａを介してフード本体１０の内部に負圧を作用させる。そして、作業者は、圧縮空気の供給源を駆動させ、導入用ノズル１１３から電動機１０６の内部に圧縮空気を供給する。なお、圧縮空気の供給圧は、約５ｋＰａに設定されている。
【００７０】
電動機１０６の内部に供給された圧縮空気は、ハウジング１１０の内周面や回転子等に付着した塵埃を吹き飛ばす。塵埃を含む空気（含塵空気）は、ハウジング１１０の排気口１１１から吸込口１４を通ってフード本体１０の内部に流入する（図５の矢印参照）。含塵空気は、フード本体１０の内部から吐出口１５およびダクトホース９Ａを通って集塵機９の内部に流入する。そして、含塵空気は、集塵機９のフィルターを通過することで塵埃と空気とに分離され、塵埃を除去した清浄な空気は外部に排気される。なお、含塵空気から分離された塵埃は、集塵機９のダストボックスに蓄積され、定期的に回収される。
【００７１】
なお、気吹き作業の完了後、上記とは逆の手順で、圧縮空気の供給源、電動機１０６および電動機１０６を停止させる。また、保持アーム３１を保持位置Ｐ２から退避位置Ｐ１に回動させ、着脱用ハンドル２１を捩じ戻す方向に回転させてマグネット２８を電動機１０６から引き離し、集塵フード５を電動機１０６から取り外す。
【００７２】
以上説明した第１実施形態に係る集塵フード５では、接続部２０は、マグネット２８によって電動機１０６に接続することでフード本体１０を電動機１０６に装着させ、マグネット２８を電動機１０６から分離することでフード本体１０を電動機１０６から装着解除させる構成とした。また、保持部３０は、内側（一方向）に回動することで電動機１０６の外周面に接触し、外側（他方向）に回動することで電動機１０６の外周面から離間する構成とした。この構成によれば、接続部２０を電動機１０６に接続させ、且つ保持部３０を電動機１０６の外周面に接触させることによって、電動機１０６に対してフード本体１０を適切に取り付けることができる。接続部２０を電動機１０６から分離させ、且つ保持部３０を電動機１０６の外周面から離間させることによって、電動機１０６に対してフード本体１０を取り外すことができる。これにより、電動機１０６に対して集塵フード５を適切且つ容易に着脱することができる。
【００７３】
また、第１実施形態に係る集塵フード５によれば、一対の保持アーム３１が電動機１０６を抱えるように挟み込むため、集塵フード５を電動機１０６に装着した状態を維持することができる。また、保持アーム３１（湾曲板３１Ａ）は湾曲しているため、円筒状の電動機１０６を確りと保持することができる。また、一対の保持アーム３１は、略板状に形成され、且つフード本体１０の上方（外方）に延びているため、電動機１０６の周りの狭いスペースに進入することができ、電動機１０６を挟み込むことができる。
【００７４】
また、第１実施形態に係る集塵フード５によれば、吸込口１４の縁部が電動機１０６の外周面に沿って湾曲しているため、吸込口１４の縁部を電動機１０６の外周面に密着させることができる。これにより、フード本体１０の吸込口１４が電動機１０６の排気口１１１に対向配置されるため、排気口１１１から流出する含塵空気をフード本体１０の内部に適切に導くことができ、含塵空気の漏出を抑制することができる。
【００７５】
また、第１実施形態に係る集塵フード５によれば、接続部２０と保持部３０とによって電動機１０６の中心を挟んで両側（上下）から電動機１０６を挟み込むことができる。これにより、電動機１０６に対して集塵フード５を確りと取り付けることができる。
【００７６】
［第２実施形態］
次に、図７、図８、図９Ａおよび図９Ｂを参照して、第２実施形態に係る集塵フード６を含む気吹き集塵装置２について説明する。図７は集塵フード６および電動機１０７等を示す側面図である。図８は集塵フード６および電動機１０７等の一部を示す側面図である。図９Ａはカバー付き保持アーム７１を示す側面図である。図９Ｂはカバー付き保持アーム７１を示す正面図である。なお、以下の説明では、第１実施形態に係る集塵フード５等と同様の構成については、同一の符号を付し、その説明を省略する。
【００７７】
＜電動機＞
まず、気吹き作業の対象となる鉄道車両１００の電動機１０７について説明する。なお、台車１０２には２つの電動機１０７が搭載されているが、２つの電動機１０７は略同一構造であるため、以下、前方の電動機１０７について説明する。また、第２実施形態では、一例として、電動機１０７と架設フレーム１０３Ｂとの隙間Ｘ３は約６０ｍｍに設定され、電動機１０７と車軸１０４との隙間Ｘ４は約２０ｍｍに設定されている（図７参照）。
【００７８】
図７に示すように、複数の排気口１１１が開口した帯状板１１４は、ハウジング１１０の下端部から前後両側面に亘って配置され、複数のボルトＢ１によってハウジング１１０に固定されている。帯状板１１４は、略半円形状に形成され、その両端部はハウジング１１０の中心を通る水平線よりも若干上側まで延びている。排気口１１１は、帯状板１１４の下側だけでなく側面にも形成されている。
【００７９】
また、ハウジング１１０の左端面（出力軸（負荷側）の反対側）には、導入用ノズル１１５が設けられている。導入用ノズル１１５は、側面から見てハウジング１１０の略円形状の端面の後部（ハウジング１１０の中心を通る水平線上）に配置され、左方向に突出している。
【００８０】
＜集塵フード＞
図７および図８に示すように、集塵フード６は、フード本体５０と、接続部６０と、保持部７０と、を備えている。
【００８１】
（フード本体）
フード本体５０は、例えば、板金で中空の箱状に形成されている。フード本体５０の上部には凹部１１が形成され、フード本体５０の下部の後端部には略台形状（漏斗状）の凸部５２が形成されている。吸込口１４は、凹部１１の上端面に凹部１１の湾曲に沿って形成されている。凸部５２の下端面に開口した吐出口１５には、ダクトホース９Ａの上流端部が接続されている。また、フード本体５０の前後両面の上部は、下方から上方に向かって互いに近づくように傾いた斜面を形成している。フード本体５０の後側の斜面には、アーム開口５３が形成されている。
【００８２】
ところで、導入用ノズル１１５は電動機１０７の端面の後部に設けられているため、気吹き作業を行うと、電動機１０７の前面や下面に開口した排気口１１１に比べて、電動機１０７の後面に開口した排気口１１１から多くの含塵空気が排気されることになる（図８の矢印参照）。そこで、図８に示すように、フード本体５０の内部空間に導入された含塵空気を効率良く吸引するために、フード本体５０の内部には、内部空間を前後方向に仕切る仕切板５４が設けられている。仕切板５４は、例えば、板金で吸込口１４の後上部から吐出口１５付近まで延びた状態に形成されている。詳細には、仕切板５４は、フード本体５０の内部空間を、導入用ノズル１１５側に位置する第１流路５５Ａと、導入用ノズル１１５とは反対側に位置する第２流路５５Ｂと、に区画している。
【００８３】
仕切板５４は、ガイド部５４Ａと、傾斜部５４Ｂと、垂直部５４Ｃと、を含んでいる。ガイド部５４Ａは、吸込口１４からフード本体５０の外部に露出しており、帯状板１１４を固定しているボルトＢ１を避けるように屈曲している。傾斜部５４Ｂは、ガイド部５４Ａ下端部から前方に向かって斜め下方に傾斜しつつ凸部５２の近傍まで延びている。垂直部５４Ｃは、傾斜部５４Ｂの下端部から吐出口１５の近傍まで略鉛直下方に延びている。仕切板５４は、第２流路５５Ｂよりも第１流路５５Ａの流量を多くするように吐出口１５の中心からずれた位置に設けられている。仕切板５４は、凸部５２（吐出口１５）において第２流路５５Ｂの断面積よりも第１流路５５Ａの断面積を大きくする位置に設けられている。
【００８４】
（接続部）
図８に示すように、接続部６０は、着脱用ハンドル２１と、支持筒部２２と、一対の吸着部２３と、を含んでいる。
【００８５】
支持筒部２２は、フード本体５０の下面の前後方向略中央に固定され、下方に突出している。着脱用ハンドル２１（ハンドル軸２１Ａ）は、略垂直に延びた姿勢で支持筒部２２に支持されている（ネジ作用で嵌め合わされている）。フード本体５０の下壁を貫通したハンドル軸２１Ａの上部には、ワッシャーＷを挟んでダブルナット２５が締め付けられている。また、ダブルナット２５を貫通したハンドル軸２１Ａの上端部には、ブラケット６６が固定されている。
【００８６】
ブラケット６６は、前後方向に長い板状に形成され、２つのマグネットホルダー２７（一対の吸着部２３）を支持している。２つのマグネットホルダー２７は、それぞれ、ノブボルトＢ３によってブラケット６６に取り付けられている（若干の遊び有り）。２つのマグネットホルダー２７には、２つのマグネット２８が固定されている。
【００８７】
上記したように、気吹き作業時には電動機１０７の後面に開口した排気口１１１から多くの含塵空気が排気されるため、後方の保持アーム３１（以下、「カバー付き保持アーム７１」ともいう。）には含塵空気の取り込む構造を備えている。
【００８８】
（保持部）
図７および図８に示すように、保持部７０は、カバー付き保持アーム７１と、保持アーム３１と、一対の取付ボックス３２と、一対のコイルスプリング３３と、一対の操作レバー３４と、を含んでいる。なお、保持部７０では、一対のコイルスプリング３３が一対の操作レバー３４の下方に配置された点が第１実施形態の保持部３０と異なるが、これらの基本的な構造および作用は、第１実施形態の保持部３０と略同様であるため、その説明は省略する。また、保持部７０は、カバー付き保持アーム７１を除いて第１実施形態の保持部３０と略同様であるため、以下では主に、カバー付き保持アーム７１について説明する。
【００８９】
図８、図９Ａおよび図９Ｂに示すように、カバー付き保持アーム７１は、アーム本体７２と、アームカバー７３と、を含んでいる。
【００９０】
アーム本体７２は、例えば、金属製で、上下方向に延びた板状の部材である。アーム本体７２は、湾曲板７２Ａと、支持板７２Ｂと、を含んでいる。湾曲板７２Ａと支持板７２Ｂとの連結部分の側面には、一対の回転ボス７２Ｃが突き出している。一対の回転ボス７２Ｃは、フード本体５０の軸受穴（図示せず）に回転可能に支持されている。
【００９１】
湾曲板７２Ａは、フード本体５０のアーム開口５３から上方（外方）に延びた状態に形成されている。湾曲板７２Ａは、フード本体５０の上方に露出して電動機１０７の外周面（帯状板１１４）に沿って湾曲した形状を有している。
【００９２】
支持板７２Ｂは、湾曲板７２Ａの下端部からフード本体５０のアーム開口５３の斜面に沿って斜めに延びた後、屈曲して略鉛直下方に向かって延びた状態に形成されている。支持板７２Ｂは、二枚重ねにした金属製の板材ＰＬを溶接することで形成されている。支持板７２Ｂの下部には、バネ受け部３５と、外側連結穴３６Ａと、内側連結穴３６Ｂと、が形成されている。
【００９３】
湾曲板７２Ａには排気口１１１に対応した上側開口部７４Ｕが形成され、支持板７２Ｂには上側開口部７４Ｕに連続して下側開口部７４Ｄが形成されている。上側開口部７４Ｕと下側開口部７４Ｄとは、一体となった上下方向に長い略長方形状の開口である。下側開口部７４Ｄは、各連結穴３６Ａ，３６Ｂよりも上方であって支持板７２Ｂの傾斜面に形成されている。なお、湾曲板７２Ａの上側開口部７４Ｕの縁部には、排気口１１１から排気された含塵空気が外部に漏れないようにシール材（図示せず）が固定されている。
【００９４】
アームカバー７３は、例えば、板金で上下方向に延びた略角筒状に形成された中空の部材である。アームカバー７３は、湾曲板７２Ａと略同じ曲率をもって湾曲しており、湾曲板７２Ａの上端から支持板７２Ｂの下部（屈曲した部分）に亘って設けられている。アームカバー７３は、アーム本体７２の外側に固定され、各開口部７４Ｕ，７４Ｄを覆うと共にフード本体５０の内部に連通する中空部を有している。アームカバー７３の上端面（先端面）には、外気をアームカバー７３の内部に取り入れるための外気導入口７５が開口している。アームカバー７３の下端部は、アーム開口５３内に隙間なく収納されている。
【００９５】
なお、図７に示すように、前方の保持アーム３１は、第１実施形態に係る保持アーム３１と略同一であるが、先端部に固定されたゴム板３１Ｄが省略されている。第２実施形態に係る保持アーム３１の湾曲板３１Ａの外形に沿って、排気口１１１から排気された含塵空気が外部に漏れないようにシール材（図示せず）が固定されており、湾曲板３１Ａの略全体が電動機１０７の外周面（帯状板１１４）に密着するようになっている。
【００９６】
［気吹き作業］
次に、気吹き作業について説明する。気吹き集塵装置２を用いた気吹き作業は、第１実施形態に係る気吹き集塵装置１を用いた気吹き作業と略同一の手順で行われる。すなわち、図７および図８に示すように、作業者は、接続部６０の２つのマグネット２８を電動機１０７に吸着させ、且つ保持部７０のカバー付き保持アーム７１と保持アーム３１とをフード本体５０の軸受穴（図示せず）を中心として退避位置Ｐ１から保持位置Ｐ２に回動させる。すると、集塵フード６が電動機１０７に取り付けられる。なお、集塵フード６を電動機１０７に取り付ける過程で、仕切板５４のガイド部５４Ａが帯状板１１４を固定しているボルトＢ１に接触することで、電動機１０７に対する集塵フード６が適正な位置に配置されるようになっている（図８参照）。
【００９７】
次に、作業者は、電動機１０７の導入用ノズル１１５にホース（図示せず）を接続し、電動機１０７の吸気口を板等で閉塞する。作業者は、車輪１０５を浮かせた状態で電動機１０７をゆっくりと回転させ、集塵機９および圧縮空気の供給源を駆動させる。なお、圧縮空気の供給圧は、約５ｋＰａに設定されている。
【００９８】
図８に細い矢印で示すように、圧縮空気によって電動機１０７の後面に開口した排気口１１１から排気された多くの含塵空気は、上側開口部７４Ｕを通過してアームカバー７３の内部に流入する。この際、集塵機９の吸引力よって外気導入口７５からアームカバー７３の内部に流入した外気（図８の太い矢印参照）は、上側開口部７４Ｕを通過した含塵空気と合流する。ここで、外気導入口７５から流入する外気の流速が遅いと、含塵空気が逆流して外気導入口７５から漏れ出して作業環境が汚染される虞がある。そこで、第２実施形態に係る集塵フード６では、外気導入口７５の開口面積は１３６８平方ミリメートル（３６ｍｍ×３８ｍｍ）に設定され、外気導入口７５から流入する外気の流速は、１５〜２０ｍ／ｓの範囲に設定されている。なお、外気の流速は、集塵機９の吸引力によって調節することができる。
【００９９】
アームカバー７３の内部で外気と合流した含塵空気は、下側開口部７４Ｄを通過してフード本体５０の内部の第１流路５５Ａに流入する（図８の太い矢印参照）。一方で、電動機１０７の前面や下面に開口した排気口１１１から排気された含塵空気は、吸込口１４を通過してフード本体５０の内部の第２流路５５Ｂに流入する（図８の細い矢印参照）。第１流路５５Ａを流れる含塵空気と第２流路５５Ｂを流れる含塵空気とは吐出口１５付近で合流してダクトホース９Ａを通って集塵機９の内部に流入する。そして、集塵機９は、含塵空気から塵埃を分離した清浄な空気を外部に排気する。
【０１００】
以上説明した第２実施形態に係る集塵フード６によれば、カバー付き保持アーム７１の上側開口部７４Ｕを通過してカバーの内部に流入した含塵空気を、外気導入口７５からアームカバー７３の内部に導入された外気と合流させて下流側に押し流すことができる。これにより、含塵空気の吸引力が向上するため、含塵空気を効率良く吸引することができる。
【０１０１】
また、第２実施形態に係る集塵フード６では、仕切板５４が、フード本体５０の内部空間を、各開口部７４Ｕ，７４Ｄおよび外気導入口７５から導入された空気が流通する第１流路５５Ａと、各開口部７４Ｕ，７４Ｄおよび外気導入口７５を除く吸込口１４から導入された空気が流通する第２流路５５Ｂと、に区画する構成とした。また、吐出口１５において、第１流路５５Ａの断面積は第２流路５５Ｂの断面積よりも大きく設定されていた。そして、導入用ノズル１１５側となる電動機１０７の後面に開口した排気口１１１から排気された含塵空気は第１流路５５Ａを通過し、それ以外の排気口１１１から排気された含塵空気は第２流路５５Ｂを通過することとした。この構成によれば、第１流路５５Ａは第２流路５５Ｂよりも多くの含塵空気を流すことができるため、上側開口部７４Ｕから導入された大量の含塵空気を効率良く流すことができる。また、仕切板５４には傾斜部５４Ｂが形成されているため、第１流路５５Ａを流れる含塵空気の圧力損失を低減することができる。
【０１０２】
なお、第２実施形態に係る集塵フード６では、アームカバー７３が後方の保持アーム３１（カバー付き保持アーム７１）に設けられていたが、本発明はこれに限定されない。アームカバー７３は、前方の保持アーム３１に設けられていてもよいし、第１実施形態に係る集塵フード５の一対の保持アーム３１の一方または両方に設けられてもよい。また、集塵フード６の仕切板５４は、第１実施形態に係る集塵フード５の内部に設けられていてもよい。
【０１０３】
［第３実施形態］
次に、図１０Ａおよび図１０Ｂを参照して、第３実施形態に係る集塵フード７を含む気吹き集塵装置３について説明する。図１０Ａは集塵フード７および鉄道車両１００等を示す斜視図である。図１０Ｂは集塵フード７および電動機１０６等を示す斜視図である。
なお、以下の説明では、第１または第２実施形態に係る集塵フード５，６等と同様の構成については、同一の符号を付し、その説明を省略する。
【０１０４】
＜集塵フード＞
集塵フード７は、フード本体５０と、接続部６０と、第１ベース８０と、第２ベース８１と、接続回動部８２と、を備えている。フード本体５０は、排気口１１１に対応して配置される吸込口１４を有している。接続部６０は、フード本体５０に設けられ、電動機１０６に接続することでフード本体５０を電動機１０６に装着させ、電動機１０６から分離することでフード本体５０を電動機１０６から装着解除させる機能を有している。なお、集塵フード７では、第２実施形態に係る集塵フード６に備えられた保持部７０が省略されている。
【０１０５】
第１ベース８０は、電動機１０６によって回転される車輪１０５が転動する２本のレール２００の間に架設されている。第１ベース８０は、レール２００に沿って移動する機能を有している。第１ベース８０は、一対のレール２００に沿ってスライド可能に係合した一対の第１スライダー８０Ａと、一対の第１スライダー８０Ａの間に架設された一対のシャフト８０Ｂと、を含んでいる。
【０１０６】
第２ベース８１は、第１ベース８０に設けられ、左右方向（第１ベース８０の架設方向）に移動する機能を有している。第２ベース８１は、一対のシャフト８０Ｂを跨ぐように設けられ、一対のシャフト８０Ｂに沿ってスライド可能に係合している。第２ベース８１の左右両側には、第２ベース８１をスライド操作するための一対の取っ手８１Ａが設けられている。また、第２ベース８１には、その移動を規制して第１ベース８０に対しての位置を固定する位置固定機構８３が設けられている。位置固定機構８３は、第２ベース８１上に設けられた位置固定レバー８３Ａを往復回動させることでシャフト８０Ｂの締付と締付解除とを行う構造（図示せず）を有している。
【０１０７】
接続回動部８２は、第２ベース８１とフード本体５０とに接続されている。接続回動部８２は、第２ベース８１の後部に固定された固定板８２Ａと、固定板８２Ａの先端部に回動軸８２Ｃを介して連結された回動板８２Ｂと、を含んでいる。回動板８２Ｂの先端部には、フード本体５０が固定されている。回動板８２Ｂは、回動軸８２Ｃを中心に上下方向に回動可能に固定板８２Ａに支持されている。接続回動部８２（回動板８２Ｂ）は、上方（一方向）に回動することでフード本体５０を電動機１０６の外周面に接触させ、下方（他方向）に回動することでフード本体５０を電動機１０６の外周面から離間させる機能を有している。
【０１０８】
［気吹き作業］
次に、気吹き作業について簡単に説明する。なお、第１または第２実施形態に係る気吹き集塵装置１，２を用いた気吹き作業と略同様の手順についての説明は省略する。
【０１０９】
作業者は、第１ベース８０をレール２００に沿って移動させ、電動機１０６に対するフード本体５０の前後方向の位置を調整する。また、作業者は、第２ベース８１をシャフト８０Ｂに沿って移動させ、電動機１０６に対するフード本体５０の左右方向の位置を調整する。そして、作業者は、位置固定レバー８３Ａを操作して、位置固定機構８３の作用によってフード本体５０の左右方向の位置を固定する。
【０１１０】
次に、作業者は、回動板８２Ｂおよびフード本体５０を回動軸８２Ｃを中心に上方に回動させた後、接続部６０の２つのマグネット２８を電動機１０６に吸着させる。これにより、集塵フード７を電動機１０６に取り付けることができる。
【０１１１】
その後の手順は第１および第２実施形態に係る集塵フード５，６を用いた気吹き作業と同様であって、電動機１０６の内部の塵埃は気吹き除去され、含塵空気は集塵フード７を介して集塵機９に吸引回収される。なお、気吹き作業の完了後、圧縮空気の供給および吸引が停止され、着脱用ハンドル２１を捩じ戻す方向に回転させてマグネット２８を電動機１０６から引き離し、集塵フード７を電動機１０６から取り外す。
【０１１２】
以上説明した第３実施形態に係る集塵フード７によれば、第１ベース８０と第２ベース８１とによってフード本体５０を平面上で移動させることができる。また、接続回動部８２によってフード本体５０を回動させることで、フード本体５０を電動機１０６の外周面に対して接触または離間させることができる。これにより、電動機１０６の排気口１１１に対するフード本体５０（吸込口１４）の位置合わせを容易に行うことができる。
【０１１３】
また、第３実施形態に係る集塵フード７によれば、位置固定機構８３によってフード本体５０の架設方向の移動を規制することができる。これにより、フード本体５０を架設方向の任意の位置に固定した状態で、フード本体５０の回動動作を安定して行うことができる。
【０１１４】
なお、第１〜第３実施形態に係る集塵フード５，６，７では、接続部２０，６０がマグネット２８を含み、このマグネット２８の磁気的な吸着力によって、フード本体１０，５０が電動機１０６，１０７に取り付けられていたが、本発明はこれに限定されない。接続部２０，６０は、マグネット２８に代えて／加えて、例えば、電動機１０６，１０７の外周面に対して貼付と剥離とを繰り返すことができる粘着層を有するパッドを含んでいてもよいし、電動機１０６，１０７の外周面に対して吸着可能な吸盤を含んでいてもよい（いずれも図示せず）。また、他にも、ハンドル軸２１Ａの先端部に径方向に広がる突起（図示せず）を設け、その突起を電動機１０６，１０７の排気口１１１に挿入した後にハンドル軸２１Ａを軸周りに回転することで排気口１１１の縁部に係合させる構成としてもよい。さらに、他にも、ハンドル軸２１Ａの先端部に径方向に広がると共に径方向に撓むフック部（図示せず）を設け、そのフック部を電動機１０６，１０７の排気口１１１に圧入することで排気口１１１の縁部に係合させる構成としてもよい。また、このフック部に代えて、ハンドル軸２１Ａの表面から出没可能なボールを設けてもよい。さらに、他にも、電動機１０６，１０７の外周面に外部フック（図示せず）を設け、その外部フックに引っ掛かる掛合部（図示せず）を接続部２０，６０としてフード本体１０，５０に設けてもよい。
【０１１５】
また、第１〜第３実施形態に係る集塵フード５，６，７では、接続部２０，６０の着脱用ハンドル２１が軸周りに回転してネジ作用で進退する構成であったが、本発明はこれに限定されない。例えば、着脱用ハンドル２１は、直線的にスライドするように構成されてもよいし、ある支点を中心に回動するように構成されてもよい（いずれも図示せず）。
【０１１６】
また、第１〜第３実施形態に係る集塵フード５，６，７では、接続部２０，６０（マグネット２８）がフード本体１０，５０の内部に配置されていたが、これに限らず、フード本体１０，５０の外側に設けられていてもよい。
【０１１７】
なお、第１および第２実施形態に係る集塵フード５，６では、一対の保持アーム３１（カバー付き保持アーム７１）が電動機１０６，１０７を挟んで対向して配置されていたが、本発明はこれに限定されない。例えば、集塵フード５，６は、電動機１０６，１０７の側面から上面までに亘って被さるように延びた１つの保持アーム３１（カバー付き保持アーム７１）を有していてもよい（図示せず）。
【０１１８】
また、第１および第２実施形態に係る集塵フード５，６では、保持アーム３１（カバー付き保持アーム７１）の支持板３１Ｂ，７２Ｂが二枚の板材ＰＬで形成されていたが、本発明はこれに限定されない。支持板３１Ｂ，７２Ｂは一枚の板材ＰＬで形成されていてもよい。また、保持アーム３１（カバー付き保持アーム７１）の湾曲板３１Ａ，７２Ａが一枚の板材ＰＬで形成されていたが、これに限らず、二枚重ねにした板材ＰＬで形成されていてもよい。
【０１１９】
また、電動機１０６，１０７の排気口１１１は、主にハウジング１１０の下側に開口していたため、第１〜第３実施形態に係る集塵フード５，６，７は、電動機１０６，１０７の下側に取り付けられていたが、本発明はこれに限定されない。仮に、排気口１１１がハウジング１１０の上側に開口している場合、集塵フード５，６，７は電動機１０６，１０７の上側に取り付けられる。この場合、接続部２０，６０は、電動機１０６，１０７の中心よりも上方に接続され、保持部３０，７０は、電動機１０６，１０７の中心よりも下方に接触することになる。つまり、集塵フード５，６，７は、排気口１１１の位置に対応するように電動機１０６，１０７に取り付けられればよい。
【０１２０】
また、第１〜第３実施形態に係る集塵フード５，６，７は、鉄道車両１００の気吹き作業に用いられていたが、気吹き作業の対象となる車両は鉄道車両１００に限定されるものではない。例えば、電動自動車等の電動機の気吹き作業に用いられてもよい。
【産業上の利用可能性】
【０１２１】
本発明の技術は、鉄道車両等の電動機の内部の清掃等に好適に利用することができる。
【符号の説明】
【０１２２】
５，６，７  集塵フード
１０，５０  フード本体
１５        吐出口
２０，６０  接続部
３０，７０  保持部
３１        保持アーム
５４        仕切板
５５Ａ      第１流路
５５Ｂ      第２流路
７１        カバー付き保持アーム
７３        アームカバー
７４Ｕ      上側開口部（開口部）
７４Ｄ      下側開口部（開口部）
７５        外気導入口
８０        第１ベース
８１        第２ベース
８２        接続回動部
８３        位置固定機構
１０６，１０７  電動機
【図１】
2019088133.tif 000003
【図２】
2019088133.tif 000004
【図３】
2019088133.tif 000005
【図４】
2019088133.tif 000006
【図５】
2019088133.tif 000007
【図６】
2019088133.tif 000008
【図７】
2019088133.tif 000009
【図８】
2019088133.tif 000010
【図９Ａ】
2019088133.tif 000011
【図９Ｂ】
2019088133.tif 000012
【図１０Ａ】
2019088133.tif 000013
【図１０Ｂ】
2019088133.tif 000014